(57)【要約】【課題】紙幣を安定した状態で収納することができ、しかも、外部からの紙幣の収納有無の確認を容易に行える紙幣識別装置を提供する。【解決手段】カセットプレート７２の上下寸法は紙幣ＰＭの上下寸法と同じか或いは上下寸法よりも僅かに大きく、その上端が収納紙幣ＰＭの上端と一致するか或いは上端よりも僅かに高くなるように配置されており、該カセットプレート７２は全体が透明になっていて、覗き窓ＩＷから紙幣収納カセット７０内を覗き込んで透明なカセットプレート７２を介した透視によって外部から紙幣ＰＭの収納有無を確認できるようになっている。【選択図】図５
2008242893.tif 000002
【特許請求の範囲】
【請求項１】
上面及び前面を開口した箱形を成し、前面開口の左右縁に沿って設けられた縦長のレールと、両レールの左右間隔よりも左右幅が僅かに大きく両レールの後側に配置された縦長矩形状のカセットプレートと、カセットプレートを前方に付勢するコイルバネ等のバネ材とを有し、紙幣の幅方向両側部をカセットプレートと左右のレールとの間に挟持した状態で収納し得る紙幣収納カセットを軸支箇所を支点とした回転によって開閉できるように備えた紙幣識別装置において、
カセットプレートの上下寸法は紙幣の上下寸法と同じか或いは上下寸法よりも僅かに大きく、その上端が収納紙幣の上端と一致するか或いは上端よりも僅かに高くなるように配置されており、
該カセットプレートは少なくとも紙幣収納カセットの後面に設けられた覗き窓から紙幣収納カセット内を覗き込んだときに見える領域のみが透明になっていて、覗き窓から紙幣収納カセット内を覗き込んでカセットプレートの透明部分を介した透視によって外部から紙幣の収納有無を確認できるようになっている、
ことを特徴とする紙幣識別装置。
【請求項２】
覗き窓はカセットプレートの上部中央に向き合う位置に設けられていて、カセットプレートは少なくとも上部が透明になっている、
ことを特徴とする請求項１に記載の紙幣識別装置。
【請求項３】
カセットプレートとして全体が透明なものが用いられている、
ことをと特徴とする請求項１または２に記載の紙幣識別装置。
【請求項４】
覗き窓は所定のサイズを有し、カセットプレートの上端には覗き窓よりもサイズが小さい切り欠きが設けられている、
ことを特徴とする請求項２または３に記載の紙幣識別装置。
【発明の詳細な説明】
【技術分野】
【０００１】
本発明は、自動販売機等に用いられる紙幣識別装置に関する。
【背景技術】
【０００２】
自動販売機等に用いられる紙幣識別装置は、紙幣挿入口に挿入された紙幣を紙幣通路に沿って搬送する紙幣搬送機構と、紙幣搬送機構に動力を付与する搬送駆動手段と、紙幣収納位置に搬送された紙幣を紙幣収納カセットに押し込んで収納させる紙幣収納機構と、紙幣収納機構に動力を付与する収納駆動手段とを具備している。
【０００３】
前記紙幣収納カセットは、一般に上面及び前面を開口した箱形を成していて、軸支箇所を支点とした回転によって開閉できるように紙幣識別装置に取り付けられている。この紙幣収納カセットは、前面開口の左右縁に沿って設けられた縦長のレールと、両レールの左右間隔よりも左右幅が僅かに大きく両レールの後側に配置された縦長矩形状のカセットプレートと、カセットプレートを前方に付勢するコイルバネ等のバネ材とを有しており、紙幣はその幅方向両側部をカセットプレートと左右のレールとの間に挟持された状態で収納される。
【０００４】
また、前記紙幣収納カセットの後面には紙幣の収納有無を直視（紙幣そのものを何も介さずに直接見ることを意味する）によって確認するための覗き窓が設けられており、該覗き窓から収納紙幣を直視する関係からカセットプレートとして紙幣の上下寸法よりも上下寸法が小さなものを用いてその上端が収納紙幣の上端よりも低くなるように配置し、これにより収納紙幣の上部がカセットプレートの上側で露出するようにしている。
【０００５】
紙幣回収を行う作業者は、収納紙幣の上部露出部分を覗き窓から直視することによって外部から紙幣の収納有無を確認し、紙幣が収納されていることを確認した後に紙幣収納カセットを開放し、左右のレールとカセットプレートとの間に挟持された状態で収納されている紙幣を取り出している。
【特許文献１】特開２００２−１０９６１３
【発明の開示】
【発明が解決しようとする課題】
【０００６】
従前の紙幣識別装置では、収納紙幣の上部をカセットプレートの上側で露出させるために該カセットプレートとして紙幣の上下寸法よりも上下寸法が小さなものを用いてその上端が収納紙幣の上端よりも低くなるように配置しているので、カセットプレートと左右のレールとによる紙幣の挟持面積が減って紙幣が不安定な状態、例えば上部露出部分が湾曲したような状態で収納される可能性がある。
【０００７】
本発明は前記事情に鑑みて創作されたもので、その目的とするところは、紙幣を安定した状態で収納することができ、しかも、外部からの紙幣の収納有無の確認を容易に行える紙幣識別装置を提供することにある。
【課題を解決するための手段】
【０００８】
前記目的を達成するため、本発明は、上面及び前面を開口した箱形を成し、前面開口の左右縁に沿って設けられた縦長のレールと、両レールの左右間隔よりも左右幅が僅かに大きく両レールの後側に配置された縦長矩形状のカセットプレートと、カセットプレートを前方に付勢するコイルバネ等のバネ材とを有し、紙幣の幅方向両側部をカセットプレートと左右のレールとの間に挟持した状態で収納し得る紙幣収納カセットを軸支箇所を支点とした回転によって開閉できるように備えた紙幣識別装置において、カセットプレートの上下寸法は紙幣の上下寸法と同じか或いは上下寸法よりも僅かに大きく、その上端が収納紙幣の上端と一致するか或いは上端よりも僅かに高くなるように配置されており、該カセットプレートは少なくとも紙幣収納カセットの後面に設けられた覗き窓から紙幣収納カセット内を覗き込んだときに見える領域のみが透明になっていて、覗き窓から紙幣収納カセット内を覗き込んでカセットプレートの透明部分を介した透視によって外部から紙幣の収納有無を確認できるようになっている、ことをその特徴とする。
【０００９】
この紙幣識別装置によれば、覗き窓から紙幣収納カセット内を覗き込んでカセットプレートの透明部分を介した透視によって紙幣の収納有無を確認できるように構成されているので、従前のように紙幣の収納有無を直視によって確認するために収納紙幣の上部をカセットプレートの上側で露出させる必要がない。要するに、カセットプレートとして紙幣の上下寸法と同じか或いは上下寸法よりも僅かに大きいものを用いることができるので、左右のレールとカセットプレートとによる紙幣の挟持面積を拡大して紙幣を安定した状態で収納することができ、しかも、カセットプレートの透明部分を介した透視によって外部からの紙幣の収納有無の確認も容易に行うことができる。
【発明の効果】
【００１０】
本発明によれば、紙幣を安定した状態で収納することができ、しかも、外部からの紙幣の収納有無の確認を容易に行える紙幣識別装置を提供できる。
【００１１】
本発明の前記目的とそれ以外の目的と、構成特徴と、作用効果は、以下の説明と添付図面によって明らかとなる。
【発明を実施するための最良の形態】
【００１２】
図１〜図５は本発明（紙幣識別装置）の一実施形態を示す。図１は紙幣識別装置を前側から見た斜視図、図２は紙幣識別装置を後側から見た斜視図、図３は図１及び図２に示した紙幣識別装置の後面図、図４は図１及び図２に示した紙幣識別装置の上面図、図５は図３のａ−ａ線断面図である。
【００１３】
図１〜図５に示した紙幣識別装置は、メインフレーム１０と、ベースボックス２０と、前側シュート３０と、紙幣搬送ユニット４０と、後側シュート５０と、マスク６０と、紙幣収納カセット７０と、後側シュート用の係止解除レバー８０と、紙幣収納カセット用の係止レバー９０とを備えている。
【００１４】
まず、図１〜図５に示した紙幣識別装置のメカニズムについて説明する。
【００１５】
ベースボックス２０は上面及び後面を開口した箱形を成し、その前面をメインフレーム１０の後面下部に固定されている。このベースボックス２０は、紙幣ＰＭを紙幣収納カセット７０内に押し込んで収納するための縦長矩形状の紙幣収納プレート２１と、該紙幣収納プレート２１を前後に平行移動させるリンク機構２２と、モータ，減速用歯車及び駆動レバーを有する収納駆動源（図示省略）と、上部後側の左右にその中心線が左右方向を向くように設けられた後側シュート用の軸支孔２３と、下部後側の左右にその中心線が左右方向を向くように設けられた紙幣収納カセット用の軸支穴（符号無し）とを有している。
【００１６】
リンク機構２２は、各々の上端を紙幣収納プレート２１に回転自在に連結され、且つ、各々の下端をベースボックス２０に回転自在に連結された左右一対の上側リンク２２ａと、各々の上端をベースボックス２０に回転自在に連結され、且つ、各々の下端を紙幣収納プレート２１に回転自在に連結された左右一対の下側リンク２２ｂと、上側リンク２２ａと下側リンク２２ｂで共通の操作軸２２ｃとを有している。操作軸２２ｃには収納駆動源の駆動レバーが係合しており、該駆動レバーの前後移動に伴ってリンク機構２２はその形態を変化して紙幣収納プレート２１を前後に平行移動させる。
【００１７】
前側シュート３０は全体が略矩形状を成し、その前面をメインフレーム１０の後面上部に固定されている。この前側シュート３０は、後側に張り出した上部湾曲部３１と、前側に張り出した下部湾曲部３２と、上下左右に間隔をおいて回転自在に、且つ、その一部が後側に露出するように設けられた計４個のローラ３３と、紙幣搬送ユニット取付部（図示省略）と、その一部が後側に露出するように設けられた挿入検知センサ３４とを有している。
【００１８】
挿入検知センサ３４と後述の挿入検知センサ４４の一方は発光ダイオード等から成る複数の発光素子によって構成され、他方はフォトダイオードやフォトトランジスタ等から成る複数の受光素子によって構成されている。挿入検知センサ３４と４４のうちの受光側で検知された光の強度変化に係る信号は挿入判定機能を有するコントローラ（図示省略）に送出される。
【００１９】
また、計４個のローラ３３のうちの右側の２個のローラ３３は紙幣搬送ユニット４０の右側の無端ベルト４３の前側の上下位置に対応していてその露出部分を該無端ベルト４３に接触し、左側の２個のローラ３３は紙幣搬送ユニット４０の左側の無端ベルト４３の前側の上下位置に対応していてその露出部分を該無端ベルト４３に接触している。
【００２０】
さらに、前側シュート３０は、上部両側に設けられ後方向に向けて突出する横長矩形状の係止片３５を有している。各係止片３５は弾性による左右方向の変形を可能としており、各々の後端内側には傾斜面３５ａが設けられ、略前後方向中間位置にはその中心線が左右方向を向く係止孔３５ｂが設けられている。両係止片３５の外面の左右間隔は後側シュート５０の左右寸法とほぼ一致している。
【００２１】
紙幣搬送ユニット４０は全体が略直方体形状を成し、前側シュート３０の紙幣搬送ユニット取付部に着脱自在に取り付けられている。この紙幣搬送ユニット４０は、ユニット本体４１と、ユニット本体４１の上部左右に回転自在に設けられたプーリ４２と、ユニット本体４１の下部左右に共通回転軸を通じて回転自在に設けられたプーリ４２と、紙幣ＰＭの幅方向両側部に向き合うように左側の２個のプーリ４２と右側の２個のプーリ４２にそれぞれ巻き付けられた２つの無端ベルト４３と、左側の下側プーリ４２に同軸上に連結された従動歯車（図示省略）と、その一部が前側に露出して挿入検知センサ３４と向き合うようにユニット本体４１内に設けられた挿入検知センサ４４と、その一部が後側に露出するようにユニット本体４１内に設けられた真偽識別センサ４７とを有している。
【００２２】
真偽識別センサ４７と後述の真偽識別センサ５３の一方は発光ダイオード等から成る複数の発光素子によって構成され、他方はフォトダイオードやフォトトランジスタ等から成る複数の受光素子によって構成されている。真偽識別センサ４７と５３のうちの受光側で検知された光の強度変化に係る信号は真偽判定機能を有するコントローラに送出される。
【００２３】
後側シュート５０は全体が略直方体形状を成す。この後側シュート５０は、前側に張り出した湾曲部５１と、上下左右に間隔をおいて回転自在に、且つ、その一部が前側に露出するように設けられた計４個のローラ５２と、その一部が前側に露出して真偽識別センサ４７と向き合うように設けられた真偽識別センサ５３と、モータ，減速用歯車及び駆動歯車を有する搬送駆動源（図示省略）と、下面後側の左右に設けられた支持片５４と、各支持片５４にその中心線が左右方向に向くように設けられた軸部５５と、下面に左右に間隔をおいて設けられ係止レバー９０の左右の係合突起９３の上方突出部分が挿入される凹部（図示省略）とを有している。この後側シュート５０は左右の軸部５５をベースボックス２０の上部左右の軸支孔２３に回転自在に挿入され、軸支箇所を支点とした回転によって開閉できるようにベースボックス２０に取り付けられている。
【００２４】
計４個のローラ５２のうちの右側の２個のローラ５２は紙幣搬送ユニット４０の右側の無端ベルト４３の後側の上下位置に対応していてその露出部分を該無端ベルト４３に接触し、左側の２個のローラ５２は紙幣搬送ユニット４０の左側の無端ベルト４３の後側の上下位置に対応していてその露出部分を該無端ベルト４３に接触している。
【００２５】
搬送駆動源の駆動歯車は後側シュート５０を閉塞した状態で紙幣搬送ユニット４０の従動歯車に噛合する。つまり、紙幣搬送ユニット４０の各無端ベルト４３は搬送駆動源の駆動歯車（図示省略）から従動歯車（図示省略）に伝達された回転力に基づいて所定方向に回転して紙幣搬送を行う。
【００２６】
また、後側シュート５０は、上部両側に設けられた凹部５６と、各凹部５６の内側側面に設けられた係合ピン５７とを有している。各係合ピン５７の中心線は左右方向を向いており、各々の径は係止片３５の係止孔３５ｂの径よりも僅かに小さく、各々の長さは好ましくは凹部５６の左右間隔よりも短い。
【００２７】
さらに、後側シュート５０は、係止解除レバー用の左右一対の支持壁５８をその上面に有している。各支持壁５８にはその中心線が左右方向に向くように設けられた係止解除レバー用の軸支孔（符号無し）が形成されている。
【００２８】
マスク６０は後面を開口した箱形を成し、その後面をメインフレーム１０の前面に固定されている。このマスク６０は、前面から後面に至る横長の紙幣挿入口６１と、紙幣挿入口６１の後端下部から後側に張り出した湾曲部６２とを有している。
【００２９】
紙幣収納カセット７０は上面及び前面を開口した箱形を成す。この紙幣収納カセット７０は、前面開口の左右縁に沿って設けられた縦長のレール７１と、両レール７１の左右間隔よりも左右幅が僅かに大きく両レール７１の後側に配置された縦長矩形状のカセットプレート７２と、カセットプレート７２を前方に付勢する円錐台状のコイルバネ７３と、後面上部に設けられた略Ｕ字形の開口７４と、左右面下部にその中心線が左右方向に向くように設けられた軸部７５と、後面内側に設けられ係止レバー９０の弾性リング９４を支えるためのＬ字形の支持部７６と、上面に左右方向に間隔をおいて設けられ係止レバー９０の左右の係合突起９３を上方に突出させるための挿入孔７７とを有している。この紙幣収納カセット７０は左右の軸部７５をベースボックス２０の下部左右の軸支穴に回転自在に挿入され、軸支箇所を支点とした回転によって開閉できるようにベースボックス２０に取り付けられている。
【００３０】
カセットプレート７２は透明プラスチック板或いは透明ガラス板から成りその全体が透明であり、カセットプレート７２の前側に位置する収納後の紙幣ＰＭを該カセットプレート７２の後方から透視できるようになっている。また、カセットプレート７２の上下寸法は紙幣ＰＭの上下寸法と同じか或いは上下寸法よりも僅かに大きく、その上端が収納紙幣ＰＭの上端と一致するか或いは上端よりも僅かに高くなるように配置されている。
【００３１】
係止解除レバー８０は、矩形状の押圧部８１と、押圧部８１の後端から前方に伸びる縦断面Ｌ字形の姿勢制御部８２と、姿勢制御部８２の左右両側に設けられた弾性片８３と、各弾性片８３にその中心線が左右方向に向くように設けられた軸部８４と、押圧部８１の左右両側に設けられ左右方向に伸びる棒状部８５と、各棒状部８５の先端に設けられた操作部８６とを有している。この係止解除レバー８０は両弾性片８３を内側に撓ませて各々の軸部８４を後側シュート５０の左右の支持壁５８の軸支孔に挿入することによって後側シュート５０の上面に取り付けられており、軸支箇所を支点とした傾動動作ができるようになっている。また、この取付状態では姿勢制御部８２がメインフレーム１０の上側張出部１１に近接するようになっていて、押圧部８１が浮き上がるように傾動したときの角度制限を姿勢制御部８２の上側張出部１１への接触によって行えるようになっている。
【００３２】
各操作部８６は縦断面略三角形を成していて、各々の外面は内側に向かって傾く傾斜面８６ａとなっている。両操作部８６の下端の左右間隔は、前側シュート３０の左右係止片３５の内面の左右間隔よりも僅かに小さい。
【００３３】
係止レバー９０は、全体が略Ｕ字形を成す本体９１と、本体９１のＵ字形上縁から後方向に突出するように設けられたＵ字形押圧部９２と、本体９１の左右上側に設けられた係合突起９３と、本体９１の下部に設けられた弾性リング９４とを有している。この係止レバー９０は弾性リング９４の下部を紙幣収納カセット７０の支持部７６に差し込み、且つ、左右の係合突起９３を紙幣収納カセット７０の挿入孔７７に挿入することによって紙幣収納カセット７０の後面内側に上下移動可能に取り付けられている。
【００３４】
係止レバー９０のＵ字形押圧部９２は紙幣収納カセット７０の開口７４に位置するがそれ自体がＵ字形であることから後に説明する閉塞状態で開口７４を塞ぐことはなく、該Ｕ字形押圧部９２の上側に形成されるＵ字形隙間は透明なカセットプレート７２を介した透視によって紙幣ＰＭの収納有無を確認するときの覗き窓ＩＷとしての役目を果たす。
【００３５】
紙幣ＰＭの収納有無を確認するときに覗き窓ＩＷから紙幣収納カセット７０内を覗き込んで透明なカセットプレート７２を介した透視によって外部から紙幣ＰＭの収納有無を確認する関係から、該覗き窓ＩＷの高さ位置はカセットプレート７２に向き合う位置、具体的にはカセットプレート７２の上部中央に向き合う位置に設定されている。また、紙幣収納カセット７０を開放するときに覗き窓ＩＷに指先を挿入して係止レバー９０のＵ字形押圧部９２をその下端が開口７４の下端に当接する位置まで指先で下方に押す操作を行う関係から、該覗き窓ＩＷは指先が挿入可能なサイズを有している。
【００３６】
前述の紙幣識別装置では、後側シュート５０が閉塞状態にあるとき、該後側シュート５０の左右の係合ピン５７は前側シュート３０の左右の係止片３５の係止孔３５ｂにそれぞれ挿入されている。閉塞状態にある後側シュート５０を開放するときには、係止解除レバー８０の押圧部８１を指先で下方に押圧して左右の操作部８６の傾斜面８６ａを前側シュート３０の左右の係止片３５の内側に押し込んで左右の係止片３５を外側に押し広げて左右の係合ピン５７の左右の係止孔３５ｂへの挿入を解除すればよい。また、開放状態の後側シュート５０を閉塞状態とするには、軸支箇所を支点とした回転によって後側シュート５０を閉塞位置に戻し、左右の係合ピン５７によって前側シュート３０の左右の係止片３５を押し広げながら該左右の係合ピン５７を左右の係止片３５の係止孔３５ｂにそれぞれ挿入すればよい。
【００３７】
後側シュート５０が閉塞状態にあるとき、紙幣搬送ユニット４０はその前後を前側シュート３０と後側シュート５０に挟み込まれていて、上部湾曲部３１と湾曲部５１の存在もあって、紙幣搬送ユニット４０の周囲には各無端ベルト４３と各ローラ３３，５２との境界面を含む逆Ｕ字形の紙幣通路ＢＰが形成される。この紙幣通路ＢＰの前側下端はマスク６０の湾曲部６２を介して紙幣挿入口６１の後端と連通している。
【００３８】
一方、紙幣収納カセット７０が閉塞状態にあるとき、係止レバー９０の弾性リング９４の付勢力によって本体９１の上辺が紙幣収納カセット７０の上面内側に当接して左右の係合突起９３は上方に突出し、両係合突起９３の上方突出部分が後側シュート５０の下面の左右凹部に挿入されている。閉塞状態にある紙幣収納カセット７０を開放するときには、係止レバー９０のＵ字形押圧部９２をその下端が開口７４の下端に当接する位置まで指先で下方に押して左右の係合突起９３を後側シュート５０の下面の左右凹部から抜き出せばよい。また、開放状態の紙幣収納カセット７０を閉塞状態とするには、軸支箇所を支点とした回転によって紙幣収納カセット７０を閉塞位置に戻し、係止レバー９０のＵ字形押圧部９２をその下端が開口７４の下端に当接する位置まで指先で下方に押してから該押圧を解除して、弾性リング９４の弾性復元力によって左右の係合突起９３を後側シュート５０の下面の左右凹部に挿入すればよい。
【００３９】
次に、図１〜図５に示した紙幣識別装置の動作及び紙幣回収操作について説明する。
【００４０】
マスク６０の紙幣挿入口６１に挿入された紙幣ＰＭ（１０００円札，２０００円札，５０００円札，１００００円札）の先端部分が挿入検知センサ３４，４４の検知領域に達すると、該挿入検知センサ３４，４４からの信号に基づいて紙幣挿入が判別される。
【００４１】
この判別結果が紙幣挿入有りのときには、搬送駆動源のモータが回転を開始し、これにより紙幣搬送ユニット４０の各無端ベルト４３が回転を開始して、挿入された紙幣ＰＭの搬送が開始される。
【００４２】
紙幣ＰＭが紙幣収納位置に到達するまでの搬送途中では真偽識別センサ４７，５３からの信号に基づいて紙幣ＰＭの真偽が判別される共に真正である場合はその種類（１０００円札，２０００円札，５０００円札，１００００円札）も判別される。
【００４３】
この判別結果が紙幣真正のときには、紙幣搬送が継続されて紙幣ＰＭが紙幣収納位置（紙幣ＰＭが紙幣収納プレート２１の前側にくる位置，図５の破線参照）まで送り込まれ、ここで紙幣搬送が停止される。つまり、紙幣挿入口６１に挿入された紙幣ＰＭが真正であるときには該紙幣ＰＭは１回の連続搬送で紙幣収納位置に到達することになる。
【００４４】
紙幣搬送が停止されると、収納駆動源のモータが回転を開始し、これによりリンク機構２２の形態が変化して紙幣収納プレート２１が左方向に平行移動し、紙幣収納位置に位置する紙幣ＰＭは該紙幣収納プレート２１と一緒に左方向に移動し、カセットプレート７２をコイルバネ７３の付勢力に抗して押し退け、且つ、左右のレール７１を乗り越えるようにして紙幣収納カセット７０内に押し込まれる。押し込み後は収納駆動源のモータが更に回転してリンク機構２２及び紙幣収納プレート２１が元の位置に復帰し、紙幣ＰＭはその幅方向両側部を左右のレール７１とカセットプレート７２との間に挟持された状態で収納される。
【００４５】
一方、真偽の判別結果が紙幣非真正（識別不可も含む）のときには、搬送駆動源のモータが逆方向に回転し、これにより紙幣搬送ユニット４０の各無端ベルトが逆方向に回転して、紙幣ＰＭが紙幣挿入口６１に向かって搬送されて返却される。
【００４６】
以上の動作はマスク６０の紙幣挿入口６１に紙幣ＰＭが挿入される度に繰り返され、真正な紙幣ＰＭはカセットプレート７２の後面に重ねて収納される。
【００４７】
紙幣収納カセット７０内の紙幣ＰＭを回収するときには、図５に矢印で示すように覗き窓ＩＷ（係止レバー９０のＵ字形押圧部９２の上側に形成されているＵ字形隙間）から紙幣収納カセット７０内を覗き込んで透明なカセットプレート７２の上部を介した透視によって外部から紙幣ＰＭの収納有無を確認する。
【００４８】
紙幣ＰＭが収納されていることを確認した後は、覗き窓ＩＷに指先を挿入し、係止レバー９０のＵ字形押圧部９２をその下端が開口７４の下端に当接する位置まで指先で下方に押して左右の係合突起９３を後側シュート５０の下面の左右凹部から抜き出す。そして、軸支箇所（左右の軸部７５）を支点とした回転によって紙幣収納カセット７０を開放し、左右のレール７１とカセットプレート７２との間に挟持された状態で収納されている紙幣ＰＭを取り出す。
【００４９】
紙幣ＰＭを取り出した後は軸支箇所（左右の軸部７５）を支点とした回転によって紙幣収納カセット７０を閉塞位置に戻し、係止レバー９０のＵ字形押圧部９２をその下端が開口７４の下端に当接する位置まで指先で下方に押してから該押圧を解除して、弾性リング９４の弾性復元力によって左右の係合突起９３を後側シュート５０の下面の左右凹部に挿入して、紙幣収納カセット７０を閉塞状態に復帰させる。
【００５０】
このように、前述の紙幣識別装置によれば、覗き窓ＩＷ（係止レバー９０のＵ字形押圧部９２の上側に形成されているＵ字形隙間）から紙幣収納カセット７０内を覗き込んで透明なカセットプレート７２の上部を介した透視によって紙幣ＰＭの収納有無を確認できるように構成されているので、従前のように紙幣ＰＭの収納有無を直視によって確認するために収納紙幣ＰＭの上部をカセットプレートの上側で露出させる必要がない。要するに、カセットプレート７２として紙幣ＰＭの上下寸法と同じか或いは上下寸法よりも僅かに大きいものを用いることができるので、左右のレール７１とカセットプレート７２とによる紙幣ＰＭの挟持面積を拡大して紙幣ＰＭを安定した状態で収納することができ、しかも、透明なカセットプレート７２を介した透視によって外部からの紙幣ＰＭの収納有無の確認も容易に行うことができる。
【００５１】
尚、前述の説明では、カセットプレート７２として全体が透明なものを例示したが、少なくとも覗き窓ＩＷから紙幣収納カセット７０内を覗き込んだときに見える領域のみ、例えば上部のみが透明になっているものをカセットプレート７２として用いてもよい。
【００５２】
また、前述の説明では、カセットプレート７２として縦長矩形状のものを例示したが、図６に示すように覗き窓ＩＷよりもサイズが小さいＵ字形切り欠き７２ａをカセットプレート７２の上端中央に形成し、覗き窓ＩＷに挿入した指先をＵ字形切り欠き７２ａに引っかけてカセットプレート７２を後方に引き寄せることで開放に併せて収納紙幣ＰＭの挟持を強制的に解除できるようにしてもよい。この場合は透明なカセットプレート７２を介した透視によって紙幣ＰＭの収納有無を確認できる領域がＵ字形切り欠き７２ａの存在によって狭くなってしまうが、紙幣ＰＭのＵ字形切り欠き７２ａに対応する部分を該Ｕ字形切り欠き７２ａを通じて直視できることから前記透視と併せて紙幣ＰＭの収納有無の確認を容易に行うことができる。
【００５３】
さらに、前述の説明では、係止レバー９０のＵ字形押圧部９２の上側に形成されているＵ字形隙間を覗き窓ＩＷとして利用したものを例示したが、係止レバー９０の押圧部９２として非Ｕ字形のものを用いて該押圧部９２によって開口７４を塞いでしまうような場合には、紙幣収納カセット７０の後面の別位置に覗き専用の専用の覗き窓ＩＷを少なくとも１つ設けるようにしてもよい。
【００５４】
さらにまた、前述の説明では、紙幣搬送装置として逆Ｕ字形を成す紙幣通路ＢＰを有するものを例示したが、前記紙幣収納カセットと紙幣収納に係る構成を同じくする紙幣収納カセットを有する紙幣搬送装置であれば本発明を適用して前記同様の作用効果が得られる。
【図面の簡単な説明】
【００５５】
【図１】本発明の一実施形態を示す、紙幣識別装置を前側から見た斜視図である。
【図２】図１に示した紙幣識別装置を後側から見た斜視図である。
【図３】図１及び図２に示した紙幣識別装置の後面図である。
【図４】図１及び図２に示した紙幣識別装置の上面図である。
【図５】図３のａ−ａ線断面図である。
【図６】カセットプレートの変形例を示す図３対応図である。
【符号の説明】
【００５６】
１０…メインフレーム、２０…ベースボックス、３０…前側シュート、４０…紙幣搬送ユニット、５０…後側シュート、６０…マスク、７０…紙幣収納カセット、７１…レール、７２…カセットプレート、７２ａ…切り欠き、７３…コイルバネ、７４…開口、８０…係止解除レバー、９０…係止レバー、９１…本体、９２…Ｕ字形押圧部、９３…係合突起、９４…弾性リング、ＩＷ…覗き窓。
【図１】
2008242893.tif 000003
【図２】
2008242893.tif 000004
【図３】
2008242893.tif 000005
【図４】
2008242893.tif 000006
【図５】
2008242893.tif 000007
【図６】
2008242893.tif 000008